(57)【特許請求の範囲】
【請求項１】
表紙体と、前記表紙体の中間領域で表紙体の内面に固着されたシート状ポケット群とを備えた、見開き状クリアポケットファイルであって、
表紙体は、合成樹脂シートからなる表表紙部と、裏表紙部と、前記表表紙部と裏表紙部との間に連設された背表紙部とを有し、
前記表表紙部及び裏表紙部は、表表紙部及び裏表紙部の高さ方向において上端から下端に亘って連続する直線状の表折り曲げ部及び裏折り曲げ部を介して、ほぼ直角に交差するように、背表紙部に連設され、
前記表表紙部と裏表紙部との間に連設された背表紙部は、その内側において、シート状ポケット群を構成する第１ポケット構成シートの溶着縁のつき合わせ端縁を、溶着固定され、
シート状ポケット群は、複数のシート状ポケットにより構成され、
前記シート状ポケットは、背表紙部に固着された直線状部位から上の部位の間において、柔軟に形成され、
前記各シート状ポケットは、表紙体の中間領域の背表紙部に固着された直線状部位と直交する底縁部、底縁部に相対する上縁部及び表紙体の中間領域の背表紙部に固着された直線状部位に相対する側縁部を有し、表紙体の背表紙部に溶着するための溶着縁を備えた第１ポケット構成シートと、前記第１ポケット構成シートのＡ面側に設けられた第２ポケット構成シートと、前記第１ポケット構成シートのＢ面側に設けられた第３ポケット構成シートとを備え、
前記第２ポケット構成シート及び第３ポケット構成シートは、透明性を有し、開口縁を備え、
前記第１ポケット構成シートは、平面視方形状で、溶着縁と交差する底縁と溶着縁と交差する上縁と溶着縁と相対する側縁とを備え、
前記第２ポケット構成シートは、平面視方形状であり、開口縁と交差する底縁及び該底縁と相対する上縁と、底縁及び上縁と交差する側縁とを備え、
前記第３ポケット構成シートは、平面視方形状であり、開口縁と交差する底縁及び該底縁と相対する上縁と、底縁及び上縁と交差する側縁とを備え、
前記第１ポケット構成シートは、第１ポケット構成シートの底縁と交差し且つ第１ポケット構成シートの溶着縁と並ぶ開口縁を、第１ポケット構成シートの溶着縁のつき合わせ端縁を溶着された表紙体の背表紙部に対向する位置で、隣接するシート状ポケットの第２ポケット構成シートの開口縁と第３ポケット構成シートの開口縁とが対向して開口されるように、それぞれ単独で、隣接する第１ポケット構成シートとの間に間隔をおいて溶着縁のつき合わせ端縁にて表紙体の背表紙部に固着され、
前記第２ポケット構成シートと第３ポケット構成シートとは、一枚の長尺状樹脂シートからなり、幅方向における中間領域において、底縁から上縁にかけて折り返されて、対向するように構成され、第２ポケット構成シートと第３ポケット構成シートとの対向する面の間に第１ポケット構成シートを挟み込み、第１ポケット構成シート，第２ポケット構成シート及び第３ポケット構成シートを、ポケット構成シートの底縁及び上縁を封止するように幅方向に溶着切断して、前記第２ポケット構成シートと第３ポケット構成シートとの間に挟まれた第１ポケット構成シートにおける底縁と交差し且つ溶着縁と相対する側縁に、第２ポケット構成シート及び第３ポケット構成シートの折り返されて構成された側縁が並んで固定され、
前記第２ポケット構成シート及び第３ポケット構成シートは、底縁及び上縁において、表紙体の背表紙部に溶着された溶着縁と交差する第１ポケット構成シートにおける底縁及び上縁と連続して封止されるとともに、底縁と交差し且つ第１ポケット構成シートの溶着縁と並ぶ開口縁を、第１ポケット構成シートの溶着縁を溶着された表紙体に対向する位置で、隣接するシート状ポケットの開口縁と対向して開口されるように形成され、
前記Ａ面側の第２ポケット構成シートの開口部は、隣接するシート状ポケットのＢ面側の第３ポケット構成シートと近くに位置して対向し、第１ポケット構成シートと第２ポケット構成シートとの間に形成された収容部に収容される被挟体を、Ａ面側シート状ポケットの収容部とＢ面側のシート状ポケットの収容部に跨って収容され、被挟体の幅方向における中央領域を隣接するＡ面側のシート状ポケットとＢ面側のシート状ポケットとの中間に位置させて、被挟体の折り曲げ部を隣接するＡ面側のシート状ポケットとＢ面側のシート状ポケットとの中間において高さ方向に第１ポケット構成シートの溶着縁に沿ってのびるように、Ａ面側のシート状ポケットとＢ面側のシート状ポケットとは、第１ポケット構成シートの溶着縁において表紙体の背表紙部に固着され、
第１ポケット構成シートと第２ポケット構成シートとの間に形成された収容部に収容される被挟体が、第２ポケット構成シートの開口縁及び第３ポケット構成シートの開口縁より第２ポケット構成シートの収容部及び第３ポケット構成シートの収容部に挿入され、被挟体をＡ面側シート状ポケットの収容部とＢ面側のシート状ポケットの収容部に跨って収容され、
表表紙部と裏表紙部とを開き、見開いた状態で、シート状ポケットの収容部及び収容部に挿入された被挟体を閲覧でき、
表表紙部と裏表紙部を閉じたとき、被挟体の幅方向における中央領域を、隣接するＡ面側のシート状ポケットとＢ面側のシート状ポケットとの中間に位置させ、被挟体の折り曲げ部が隣接するＡ面側のシート状ポケットとＢ面側のシート状ポケットとの中間において高さ方向に第１ポケット構成シートの溶着縁に沿ってのび、見開いた状態でシート状ポケットのＡ面側の収容部及びＢ面側の収容部に挿入され、被挟体の中央に折り目を形成できる、見開き状クリアポケットファイル。
【請求項２】
表紙体と、前記表紙体の中間領域で表紙体の内面に固着された透明性を有するシート状ポケット群とを備えた、見開き状クリアポケットファイルの製造方法であって、
（一）表紙体は、合成樹脂シートからなる表表紙部と、裏表紙部と、前記表表紙部と裏表紙部との間に連設された背表紙部とを有し、
前記表表紙部及び裏表紙部は、表表紙部及び裏表紙部の高さ方向において上端から下端に亘って連続する直線状の表折り曲げ部及び裏折り曲げ部を介して、ほぼ直角に交差するように、背表紙部に連設され、
前記表表紙部と裏表紙部との間に連設された背表紙部は、その内側において、シート状ポケット群を構成する第１ポケット構成シートの溶着縁のつき合わせ端縁を、溶着固定され、
シート状ポケット群は、複数のシート状ポケットにより構成され、
前記シート状ポケットは、背表紙部に固着された直線状部位から上の部位の間において、柔軟に形成され、
（二）シート状ポケット群を、下記（ａ），（ｂ），（ｃ）及び（ｄ）の複数のシート状ポケットにより構成するために、
（ａ）前記各シート状ポケットは、表紙体の中間領域の背表紙部に固着された直線状部位と直交する底縁部、底縁部に相対する上縁部及び表紙体の中間領域の背表紙部に固着された直線状部位に相対する側縁部を有し、表紙に溶着するための溶着縁を備えた第１ポケット構成シートと、透明性を有し、開口縁を備えた、第２ポケット構成シートと、第３ポケット構成シートとを有し、
（ｂ）第１ポケット構成シートは、平面視方形状で、溶着縁と交差する底縁と溶着縁と交差する上縁と溶着縁と相対する側縁とを備え、
（ｃ）第２ポケット構成シートは、平面視方形状であり、開口縁と交差する底縁及び該底縁と相対する上縁と、底縁及び上縁と交差する側縁とを備え、
（ｄ）第３ポケット構成シートは、平面視方形状であり、開口縁と交差する底縁及び該底縁と相対する上縁と、底縁及び上縁と交差する側縁とを備え、
（三）一枚の長尺状樹脂シートを折り返し、対向する第２ポケット構成シートと第３ポケット構成シートとを構成し、
（四）第２ポケット構成シートと第２ポケット構成シートとの対向する面の間に第１ポケット構成シートを挟み込み、ポケット構成シートの底縁及び上縁を封止するように、該第１ポケット構成シート，第２ポケット構成シート及び第３ポケット構成シートを幅方向に溶着切断して、
第２ポケット構成シート及び第３ポケット構成シートを、溶着縁と交差する第１ポケット構成シートにおける底縁及び上縁において、第１ポケット構成シートの底縁及び上縁と連続して封止するとともに、底縁と交差し且つ第１ポケット構成シートの溶着縁と並ぶ開口縁を、第１ポケット構成シートの溶着縁を溶着された表紙体に対向する位置で、隣接するシート状ポケットの第２ポケット構成シートの開口縁と第３ポケット構成シートの開口縁とが対向して開口されるように形成し、
（五）第１ポケット構成シートの底縁と交差し且つ第１ポケット構成シートの溶着縁と並ぶ開口縁を、第１ポケット構成シートの溶着縁を溶着された表紙体の背表紙部に対向する位置で、隣接するシート状ポケットの第２ポケット構成シートの開口縁と第３ポケット構成シートの開口縁とが対向して開口されるように、前記各シート状ポケットを構成する第１ポケット構成シートを、それぞれ単独で、表紙に溶着するための溶着縁のつき合わせ端縁により、隣接する第１ポケット構成シートとの間に間隔をおいて溶着縁のつき合わせ端縁にて表紙体の背表紙部に固着し、
（六）Ａ面側の第２ポケット構成シートの開口部は、隣接するシート状ポケットのＢ面側の第３ポケット構成シートと近くに位置して対向し、第１ポケット構成シートと第２ポケット構成シートとの間に形成された収容部に収容される被挟体を、Ａ面側シート状ポケットの収容部とＢ面側のシート状ポケットの収容部に跨って収容され、被挟体の幅方向における中央領域を隣接するＡ面側のシート状ポケットとＢ面側のシート状ポケットとの中間に位置させて、被挟体の折り曲げ部を隣接するＡ面側のシート状ポケットとＢ面側のシート状ポケットとの中間において高さ方向に第１ポケット構成シートの溶着縁に沿ってのびるように、Ａ面側のシート状ポケットとＢ面側のシート状ポケットとは、第１ポケット構成シートの溶着縁のつき合わせ端縁において表紙体の背表紙部に固着し、
（七）第１ポケット構成シートと第２ポケット構成シートとの間に形成された収容部に収容される被挟体が、第２ポケット構成シートの開口縁及び第３ポケット構成シートの開口縁より第２ポケット構成シートの収容部及び第３ポケット構成シートの収容部に挿入され、被挟体をＡ面側シート状ポケットの収容部とＢ面側のシート状ポケットの収容部に跨って収容され、
表表紙部と裏表紙部とを開き、見開いた状態で、シート状ポケットの収容部及び収容部に挿入された被挟体を閲覧でき、
表表紙部と裏表紙部を閉じたとき、被挟体の幅方向における中央領域を、隣接するＡ面側のシート状ポケットとＢ面側のシート状ポケットとの中間に位置させ、被挟体の折り曲げ部が隣接するＡ面側のシート状ポケットとＢ面側のシート状ポケットとの中間において高さ方向に第１ポケット構成シートの溶着縁に沿ってのび、見開いた状態でシート状ポケットのＡ面側の収容部及びＢ面側の収容部に挿入され、被挟体の中央に折り目を形成できる、見開き状クリアポケットファイルの製造方法。
【発明の詳細な説明】
【技術分野】
【０００１】
この発明は、見開き状クリアポケットファイル及びその製造方法に関し、特に、たとえば、クリヤーブックなどの背表紙部の両側に表表紙部と裏表紙部が連設され、大きめサイズの書類などを見開いて見ることができるように表表紙側と裏表紙側との間に跨って収納できる、透明ポケットが固着されたファイル及びその製造方法に関する。
【背景技術】
【０００２】
従来、透明のファイルムでポケットを形成した透明ポケットファイルがある。
それには、ポケットが表紙に溶着固定されたファイルにおいてポケットが見開いた状態でつくられ、それを数枚重ねたものの中央部を、溶解して表紙の背部に溶着又は綴じ具に綴じることにより、ポケットを綴じたファイルがある（特許文献１及び２参照）。
【先行技術文献】
【特許文献】
【０００３】
【特許文献１】特開平９−０３９４５８号公報
【特許文献２】特開２００２−３３１７８４号公報
【発明の概要】
【発明が解決しようとする課題】
【０００４】
特許文献１のファイルでは、そして、ポケット１枚１枚をそれぞれ表紙に融着したものであっても、ポケット枚数が増えるに従い、見開いた時、ポケットの厚み、書類の厚みにより見開きが中央にゆくに従ってフラットからどんどんカーブしていき、結果的に見開きが悪くなってしまう。
表表紙部側と裏表紙部側との間に跨って挟み込まれた書類などに、本来の折り目と異なる折り目がついてしまう。
また、特許文献２のファイルでは、ポケット１枚１枚が分割されていることにより、各ポケットが動いて特許文献１と同様の問題がある。
【０００５】
それゆえに、この発明の主たる目的は、見開き状クリアポケットファイルを見開いた後に閉じたときに被挟体に正確に折り目をつけることができる、見開き状クリアポケットファイルを提供することである。
【課題を解決するための手段】
【０００６】
この発明の請求項１にかかる見開き状クリアポケットファイルは、表紙体と、前記表紙体の中間領域で表紙体の内面に固着されたシート状ポケット群とを備えた、見開き状クリアポケットファイルであって、表紙体は、合成樹脂シートからなる表表紙部と、裏表紙部と、前記表表紙部と裏表紙部との間に連設された背表紙部とを有し、前記表表紙部及び裏表紙部は、表表紙部及び裏表紙部の高さ方向において上端から下端に亘って連続する直線状の表折り曲げ部及び裏折り曲げ部を介して、ほぼ直角に交差するように、背表紙部に連設され、前記表表紙部と裏表紙部との間に連設された背表紙部は、その内側において、シート状ポケット群を構成する第１ポケット構成シートの溶着縁のつき合わせ端縁を、溶着固定され、シート状ポケット群は、複数のシート状ポケットにより構成され、前記シート状ポケットは、背表紙部に固着された直線状部位から上の部位の間において、柔軟に形成され、前記各シート状ポケットは、表紙体の中間領域の背表紙部に固着された直線状部位と直交する底縁部、底縁部に相対する上縁部及び表紙体の中間領域の背表紙部に固着された直線状部位に相対する側縁部を有し、表紙体の背表紙部に溶着するための溶着縁を備えた第１ポケット構成シートと、前記第１ポケット構成シートのＡ面側に設けられた第２ポケット構成シートと、前記第１ポケット構成シートのＢ面側に設けられた第３ポケット構成シートとを備え、前記第２ポケット構成シート及び第３ポケット構成シートは、透明性を有し、開口縁を備え、前記第１ポケット構成シートは、平面視方形状で、溶着縁と交差する底縁と溶着縁と交差する上縁と溶着縁と相対する側縁とを備え、前記第２ポケット構成シートは、平面視方形状であり、開口縁と交差する底縁及び該底縁と相対する上縁と、底縁及び上縁と交差する側縁とを備え、前記第３ポケット構成シートは、平面視方形状であり、開口縁と交差する底縁及び該底縁と相対する上縁と、底縁及び上縁と交差する側縁とを備え、前記第１ポケット構成シートは、第１ポケット構成シートの底縁と交差し且つ第１ポケット構成シートの溶着縁と並ぶ開口縁を、第１ポケット構成シートの溶着縁のつき合わせ端縁を溶着された表紙体の背表紙部に対向する位置で、隣接するシート状ポケットの第２ポケット構成シートの開口縁と第３ポケット構成シートの開口縁とが対向して開口されるように、それぞれ単独で、隣接する第１ポケット構成シートとの間に間隔をおいて溶着縁のつき合わせ端縁にて表紙体の背表紙部に固着され、前記第２ポケット構成シートと第３ポケット構成シートとは、一枚の長尺状樹脂シートからなり、幅方向における中間領域において、底縁から上縁にかけて折り返されて、対向するように構成され、第２ポケット構成シートと第３ポケット構成シートとの対向する面の間に第１ポケット構成シートを挟み込み、第１ポケット構成シート，第２ポケット構成シート及び第３ポケット構成シートを、ポケット構成シートの底縁及び上縁を封止するように幅方向に溶着切断して、前記第２ポケット構成シートと第３ポケット構成シートとの間に挟まれた第１ポケット構成シートにおける底縁と交差し且つ溶着縁と相対する側縁に、第２ポケット構成シート及び第３ポケット構成シートの折り返されて構成された側縁が並んで固定され、前記第２ポケット構成シート及び第３ポケット構成シートは、底縁及び上縁において、表紙体の背表紙部に溶着された溶着縁と交差する第１ポケット構成シートにおける底縁及び上縁と連続して封止されるとともに、底縁と交差し且つ第１ポケット構成シートの溶着縁と並ぶ開口縁を、第１ポケット構成シートの溶着縁を溶着された表紙体に対向する位置で、隣接するシート状ポケットの開口縁と対向して開口されるように形成され、前記Ａ面側の第２ポケット構成シートの開口部は、隣接するシート状ポケットのＢ面側の第３ポケット構成シートと近くに位置して対向し、第１ポケット構成シートと第２ポケット構成シートとの間に形成された収容部に収容される被挟体を、Ａ面側シート状ポケットの収容部とＢ面側のシート状ポケットの収容部に跨って収容され、被挟体の幅方向における中央領域を隣接するＡ面側のシート状ポケットとＢ面側のシート状ポケットとの中間に位置させて、被挟体の折り曲げ部を隣接するＡ面側のシート状ポケットとＢ面側のシート状ポケットとの中間において高さ方向に第１ポケット構成シートの溶着縁に沿ってのびるように、Ａ面側のシート状ポケットとＢ面側のシート状ポケットとは、第１ポケット構成シートの溶着縁において表紙体の背表紙部に固着され、第１ポケット構成シートと第２ポケット構成シートとの間に形成された収容部に収容される被挟体が、第２ポケット構成シートの開口縁及び第３ポケット構成シートの開口縁より第２ポケット構成シートの収容部及び第３ポケット構成シートの収容部に挿入され、被挟体をＡ面側シート状ポケットの収容部とＢ面側のシート状ポケットの収容部に跨って収容され、表表紙部と裏表紙部とを開き、見開いた状態で、シート状ポケットの収容部及び収容部に挿入された被挟体を閲覧でき、表表紙部と裏表紙部を閉じたとき、被挟体の幅方向における中央領域を、隣接するＡ面側のシート状ポケットとＢ面側のシート状ポケットとの中間に位置させ、被挟体の折り曲げ部が隣接するＡ面側のシート状ポケットとＢ面側のシート状ポケットとの中間において高さ方向に第１ポケット構成シートの溶着縁に沿ってのび、見開いた状態でシート状ポケットのＡ面側の収容部及びＢ面側の収容部に挿入され、被挟体の中央に折り目を形成できる、見開き状クリアポケットファイルである。
この発明の請求項２にかかる見開き状クリアポケットファイルの製造方法は、表紙体と、前記表紙体の中間領域で表紙体の内面に固着された透明性を有するシート状ポケット群とを備えた、見開き状クリアポケットファイルの製造方法であって、（一）表紙体は、合成樹脂シートからなる表表紙部と、裏表紙部と、前記表表紙部と裏表紙部との間に連設された背表紙部とを有し、前記表表紙部及び裏表紙部は、表表紙部及び裏表紙部の高さ方向において上端から下端に亘って連続する直線状の表折り曲げ部及び裏折り曲げ部を介して、ほぼ直角に交差するように、背表紙部に連設され、前記表表紙部と裏表紙部との間に連設された背表紙部は、その内側において、シート状ポケット群を構成する第１ポケット構成シートの溶着縁のつき合わせ端縁を、溶着固定され、シート状ポケット群は、複数のシート状ポケットにより構成され、前記シート状ポケットは、背表紙部に固着された直線状部位から上の部位の間において、柔軟に形成され、（二）シート状ポケット群を、下記（ａ），（ｂ），（ｃ）及び（ｄ）の複数のシート状ポケットにより構成するために、（ａ）前記各シート状ポケットは、表紙体の中間領域の背表紙部に固着された直線状部位と直交する底縁部、底縁部に相対する上縁部及び表紙体の中間領域の背表紙部に固着された直線状部位に相対する側縁部を有し、表紙に溶着するための溶着縁を備えた第１ポケット構成シートと、透明性を有し、開口縁を備えた、第２ポケット構成シートと、第３ポケット構成シートとを有し、（ｂ）第１ポケット構成シートは、平面視方形状で、溶着縁と交差する底縁と溶着縁と交差する上縁と溶着縁と相対する側縁とを備え、（ｃ）第２ポケット構成シートは、平面視方形状であり、開口縁と交差する底縁及び該底縁と相対する上縁と、底縁及び上縁と交差する側縁とを備え、（ｄ）第３ポケット構成シートは、平面視方形状であり、開口縁と交差する底縁及び該底縁と相対する上縁と、底縁及び上縁と交差する側縁とを備え、（三）一枚の長尺状樹脂シートを折り返し、対向する第２ポケット構成シートと第３ポケット構成シートとを構成し、（四）第２ポケット構成シートと第２ポケット構成シートとの対向する面の間に第１ポケット構成シートを挟み込み、ポケット構成シートの底縁及び上縁を封止するように、該第１ポケット構成シート，第２ポケット構成シート及び第３ポケット構成シートを幅方向に溶着切断して、第２ポケット構成シート及び第３ポケット構成シートを、溶着縁と交差する第１ポケット構成シートにおける底縁及び上縁において、第１ポケット構成シートの底縁及び上縁と連続して封止するとともに、底縁と交差し且つ第１ポケット構成シートの溶着縁と並ぶ開口縁を、第１ポケット構成シートの溶着縁を溶着された表紙体に対向する位置で、隣接するシート状ポケットの第２ポケット構成シートの開口縁と第３ポケット構成シートの開口縁とが対向して開口されるように形成し、（五）第１ポケット構成シートの底縁と交差し且つ第１ポケット構成シートの溶着縁と並ぶ開口縁を、第１ポケット構成シートの溶着縁を溶着された表紙体の背表紙部に対向する位置で、隣接するシート状ポケットの第２ポケット構成シートの開口縁と第３ポケット構成シートの開口縁とが対向して開口されるように、前記各シート状ポケットを構成する第１ポケット構成シートを、それぞれ単独で、表紙に溶着するための溶着縁のつき合わせ端縁により、隣接する第１ポケット構成シートとの間に間隔をおいて溶着縁のつき合わせ端縁にて表紙体の背表紙部に固着し、（六）Ａ面側の第２ポケット構成シートの開口部は、隣接するシート状ポケットのＢ面側の第３ポケット構成シートと近くに位置して対向し、第１ポケット構成シートと第２ポケット構成シートとの間に形成された収容部に収容される被挟体を、Ａ面側シート状ポケットの収容部とＢ面側のシート状ポケットの収容部に跨って収容され、被挟体の幅方向における中央領域を隣接するＡ面側のシート状ポケットとＢ面側のシート状ポケットとの中間に位置させて、被挟体の折り曲げ部を隣接するＡ面側のシート状ポケットとＢ面側のシート状ポケットとの中間において高さ方向に第１ポケット構成シートの溶着縁に沿ってのびるように、Ａ面側のシート状ポケットとＢ面側のシート状ポケットとは、第１ポケット構成シートの溶着縁のつき合わせ端縁において表紙体の背表紙部に固着し、（七）第１ポケット構成シートと第２ポケット構成シートとの間に形成された収容部に収容される被挟体が、第２ポケット構成シートの開口縁及び第３ポケット構成シートの開口縁より第２ポケット構成シートの収容部及び第３ポケット構成シートの収容部に挿入され、被挟体をＡ面側シート状ポケットの収容部とＢ面側のシート状ポケットの収容部に跨って収容され、表表紙部と裏表紙部とを開き、見開いた状態で、シート状ポケットの収容部及び収容部に挿入された被挟体を閲覧でき、表表紙部と裏表紙部を閉じたとき、被挟体の幅方向における中央領域を、隣接するＡ面側のシート状ポケットとＢ面側のシート状ポケットとの中間に位置させ、被挟体の折り曲げ部が隣接するＡ面側のシート状ポケットとＢ面側のシート状ポケットとの中間において高さ方向に第１ポケット構成シートの溶着縁に沿ってのび、見開いた状態でシート状ポケットのＡ面側の収容部及びＢ面側の収容部に挿入され、被挟体の中央に折り目を形成できる、見開き状クリアポケットファイルの製造方法である。
【発明の効果】
【０００７】
この発明によれば、被挟体の幅方向における中央領域を、隣接するＡ面側のシート状ポケットとＢ面側のシート状ポケットとの中間に位置させ、被挟体の折り曲げ部が隣接するＡ面側のシート状ポケットとＢ面側のシート状ポケットとの中間において高さ方向に第１ポケット構成シートの溶着縁に沿ってのび、見開いた状態でシート状ポケットの収容部に挿入されるように構成されているので、被挟体の中央に正確に折り目を形成できる。
【０００８】
この発明の上述の目的、その他の目的、特徴及び利点は、図を参照して行う以下の発明を実施するための最良の形態の説明からいっそう明らかとなろう。
この明細書及び特許請求の範囲において、ファイルの表紙の高さ、表紙の幅及び背幅は、一般的に用いられている表現を用いているが、念のために、図１３において、表紙の高さをＨ、表紙の幅をＷ、背幅をＴとして示す。
【図面の簡単な説明】
【０００９】
【図１】この発明の一実施の形態であるポケットファイルの斜視図解図である。
【図２】図１図示ポケットファイルの開いた状態における断面図解図である。
【図３】図１図示ポケットファイルの開いた状態における断面図解図である。
【図４】図１図示ポケットファイルの閉じた状態における横断面図解図である。
【図５】図１図示ファイルの製法を示す斜視図解図である。
【図６】図１図示ファイルの製法を示す斜視図解図である。
【図７】図１図示ファイルの製法を示す斜視図解図である。
【図８】図１図示ファイルの製法を示す斜視図解図である。
【図９】図１図示ファイルの製法を示す斜視図解図である。
【図１０】図１図示ファイルの製法を示す断面図解図であり、シート状ポケット群の準備状態を示す図である。
【図１１】図１図示ファイルの製法を示す断面図解図であり、シート状ポケット群と連結体との連結方法を示す図である。
【図１２】図１図示ファイルの製法を示す断面図解図であり、シート状ポケット群と連結体との連結方法を示す図である
【図１３】この発明にかかるファイルの説明図である。
【発明を実施するための形態】
【００１０】
図１は、この発明の一実施の形態である見開き状クリアポケットファイルの斜視図解図であり、図２は、図１図示見開き状クリアポケットファイルの開いた状態における斜視図解図である。図３は、図１図示見開き状クリアポケットファイルの閉じた状態における縦断面図解図である。
ファイル１０は、見開き状クリアポケットファイルである。
ファイル１０は、ポリプロピレン等の合成樹脂シートからなる表表紙部１２と、裏表紙部１４と、前記表表紙部１２と裏表紙部１４との間に連設された背表紙部１６とを有する表紙体１８と、シート状ポケット群２０を構成する第１ポケット構成シート３０の溶着縁３２において溶着されて連結されたシート状ポケット群２０とを備えている。
【００１１】
ファイル１０は、前記表表紙部１２と裏表紙部１４との間に連設された背表紙部１６の内側において、シート状ポケット群２０を構成する第１ポケット構成シート３０の溶着縁３２を、溶着固定されている。
【００１２】
表表紙部１２及び裏表紙部１４は、表表紙部１２及び裏表紙部１４の高さ方向において上端から下端に亘って連続する直線状の表折り曲げ部２４及び裏折り曲げ部２６を介して、ほぼ直角に交差するように、背表紙部１６に連設されている。
【００１３】
前記シート状ポケット２２は、背表紙部１６に固着された直線状部位から上の部位の間において、柔軟に形成されている。
シート状ポケット２２は、背表紙部１６に固着された直線状部位と直交する底縁部２２ａと底縁部２２ａに相対する上縁部２２ｂ及び背表紙部１６に固着された直線状部位に相対する側縁部２２ｃとを備えている。
【００１４】
ファイル１０は、表紙体１８と、前記表紙体１８の中間領域で表紙体１８の内面に固着された透明性を有するシート状ポケット群２０とを備えた、見開き状クリアポケットファイルであって、シート状ポケット群２０は、複数のシート状ポケット２２により構成されている。
【００１５】
前記各シート状ポケット２２は、表紙に溶着するための溶着縁３２を備えた第１ポケット構成シート３０と、開口縁４２を備えた、透明性を有する第２ポケット構成シート４０と、開口縁５２を備えた、透明性を有する第３ポケット構成シート５０とを有する。
第２ポケット構成シート４０は、第１ポケット構成シート３０を挟んでＡ面（表紙）側に位置し、第３ポケット構成シート５０は、第１ポケット構成シート３０を挟んでＢ面（表紙）側に位置している。
【００１６】
第１ポケット構成シート３０は、平面視方形状で、溶着縁３２と交差する底縁３４と溶着縁３２と交差する上縁３６と溶着縁３２と相対する側縁３８とを備える。
第１ポケット構成シート３０は、それぞれ単独で、隣接する第１ポケット構成シート３０との間に間隔をおいて、溶着縁３２にて表紙体１８に固着されている。
【００１７】
第２ポケット構成シート４０は、平面視方形状であり、開口縁４２と交差する底縁４４及び該底縁４４と相対する上縁４６と、底縁４４及び上縁４６と交差する側縁４８とを備える。
第２ポケット構成シート４０は、底縁４４において、表紙に溶着された溶着縁３２と交差する第１ポケット構成シート３０における底縁３４と連続して封止されている。
底縁４４と交差し且つ第１ポケット構成シート３０の溶着縁３２と並ぶ開口縁４２は、第１ポケット構成シート３０の溶着縁３２を溶着された表紙体１８に対向する位置で、隣接する第１ポケット構成シート３０の第３ポケット構成シート５０の開口縁５２と対向して開口されるように形成されている。
【００１８】
第３ポケット構成シート５０は、平面視方形状であり、開口縁５２と交差する底縁５４及び該底縁５４と相対する上縁５６と、底縁５４及び上縁５６と交差する側縁５８とを備える。
第３ポケット構成シート５０は、底縁５４において、表紙に溶着された溶着縁３２と交差する第１ポケット構成シート３０における底縁３４と連続して封止されている。
底縁５４と交差し且つ第１ポケット構成シート３０の溶着縁３２と並ぶ開口縁５２は、第１ポケット構成シート３０の溶着縁３２を溶着された表紙体１８に対向する位置で、隣接する第１ポケット構成シート３０の第２ポケット構成シート４０の開口縁４２と対向して開口されるように形成されている。
【００１９】
シート状ポケット２２は、第１ポケット構成シート３０のＡ面に設けられた第２ポケット構成シート４０と、第１ポケット構成シート３０のＢ面に設けられた第３ポケット構成シート５０とを備え、第２ポケット構成シート４０と第３ポケット構成シート５０とは、一枚のシートからなり、幅方向における中間領域において、底縁４４及び底縁５４から上縁４６及び上縁５６にかけて折り返されたもので構成されている。
第２ポケット構成シート４０と第３ポケット構成シート５０との間に挟まれた第１ポケット構成シート３０における底縁３４と交差し溶着縁３２と相対する第１ポケット構成シート３０の側縁３８に、第２ポケット構成シート４０及び第３ポケット構成シート５０を折り返されて構成された第２ポケット構成シート４０の側縁４８及び第３ポケット構成シート５０の側縁５８が並んで固定されている。
【００２０】
第２ポケット構成シート４０と第３ポケット構成シート５０とは、図５に示すように、一枚の長尺状樹脂シートを折り返されて、対向するように構成され、第２ポケット構成シート４０と第２ポケット構成シート４０との対向する面の間に第１ポケット構成シート３０を挟み込み、第１ポケット構成シート３０，第２ポケット構成シート４０及び第３ポケット構成シート５０を幅方向に溶着切断して、ポケットシートの底縁３４，底縁４４及び底縁５４並びに上縁３６，上縁４６及び上縁５６を封止するように形成されている。
もっとも、第２ポケット構成シート４０と第３ポケット構成シート５０とは、図８及び図９に示すように、一枚の樹脂シートを折り返されて、対向するように構成され、第２ポケット構成シート４０と第２ポケット構成シート４０との対向する面の間に第１ポケット構成シート３０を挟み込み、第１ポケット構成シート３０，第２ポケット構成シート４０の開口縁４２及び第３ポケット構成シート５０の開口縁５２を除く、底縁４４及び底縁５４と第１ポケット構成シート３０の底縁３４とを溶着し、上縁４６及び上縁５６と第１ポケット構成シート３０の上縁３６とを溶着して、ポケットシートの底縁３４，底縁４４及び底縁５４並びに上縁３６，上縁４６及び上縁５６を封止するように形成されてもよい。
【００２１】
この実施の形態においては、シート状ポケット２２は、底縁部２２ａが底縁３４，底縁４４及び底縁５４で構成され、上縁部２２ｂが上縁３６，上縁４６及び上縁５６で構成され、側縁部２２ｃが側縁３８，側縁４８及び側縁５８で構成されている。
【００２２】
Ａ面側の第２ポケット構成シート４０の開口部は、隣接するシート状ポケット２２のＢ面側の第３ポケット構成シート５０と近くに位置して対向し、第１ポケット構成シート３０と第２ポケット構成シート４０との間に形成された収容部８０に収容される被挟体Ｓを、Ａ面側シート状ポケット２２の収容部８０とＢ面側のシート状ポケット２２の収容部８０に跨って収容され、被挟体Ｓの幅方向における中央領域を、隣接するＡ面側のシート状ポケット２２とＢ面側のシート状ポケット２２との中間に位置させる。
そして、被挟体Ｓの折り曲げ部Ｓ1が隣接するＡ面側のシート状ポケット２２とＢ面側のシート状ポケット２２との中間において高さ方向に第１ポケット構成シート３０の溶着縁３２に沿ってのびるように、Ａ面側のシート状ポケット２２とＢ面側のシート状ポケット２２とは、第１ポケット構成シート３０の溶着縁３２において表紙体１８に固着されている。
【００２３】
次に、この発明にかかる見開き状クリアポケットファイルの製造方法について、主として図５ないし図９に基づいて説明する。
まず、表紙体１８と、前記表紙体１８の中間領域で表紙体１８の内面に固着された透明性を有するシート状ポケット群２０とを準備する。
【００２４】
シート状ポケット群２０を、複数のシート状ポケット２２により構成するために、前記各シート状ポケット２２は、表紙に溶着するための溶着縁３２を備えた第１ポケット構成シート３０と、開口縁４２を備えた、透明性を有する第２ポケット構成シート４０と、開口縁５２を備えた、透明性を有する第３ポケット構成シート５０とを準備する。
そして、第２ポケット構成シート４０及び第３ポケット構成シート５０を、開口縁４２及び開口縁５２と交差する底縁４４及び底縁５４において、表紙に溶着される溶着縁３２と交差する第１ポケット構成シート３０の底縁３４と接続して封止するとともに、開口縁４２及び開口縁５２と交差する上縁４６及び上縁５６において、表紙に溶着される溶着縁３２と交差する第１ポケット構成シート３０の上縁３６と接続して封止する。
【００２５】
次に、底縁４４と交差し且つ第１ポケット構成シート３０の溶着縁３２と並ぶ開口縁４２を、第１ポケット構成シート３０の溶着縁３２と溶着された表紙体１８に対向する位置で、シート状ポケット２２の第３ポケット構成シート５０の開口縁５２と隣接するシート状ポケット２２の第２ポケット構成シート４０の開口縁４２と対向して開口されるように、前記各シート状ポケット２２を構成する第１ポケット構成シート３０を、それぞれ単独で、表紙に溶着するための溶着縁３２により、隣接する第１ポケット構成シート３０との間に間隔をおいて溶着縁３２にて表紙体１８に固着する。
【００２６】
更に、底縁３４と交差し且つ第１ポケット構成シート３０の溶着縁３２と並ぶ開口縁４２を、第１ポケット構成シート３０の溶着縁３２を溶着された表紙体１８に対向する位置で、シート状ポケット２２の第３ポケット構成シート５０の開口縁５２と隣接するシート状ポケット２２の第２ポケット構成シート４０の開口縁４２と対向して開口されるように、表紙に溶着するための溶着縁３２により、隣接する第１ポケット構成シート３０との間に間隔をおいて溶着縁３２にて表紙体１８に固着する。
【００２７】
第２ポケット構成シート４０と第３ポケット構成シート５０とは、図５において示すように、一枚の長尺状樹脂シートを折り返し、対向するように構成し、第２ポケット構成シート４０と第３ポケット構成シート５０との対向する面の間に第１ポケット構成シート３０を挟み込み、第１ポケット構成シート３０，第２ポケット構成シート４０及び第３ポケット構成シート５０を幅方向に溶着切断して、シート状ポケット２２の底縁３４，底縁４４及び底縁５４並びに上縁３６，上縁４６及び上縁５６を封止するように形成する。
【００２８】
次に、本発明にかかるシート状ポケット２２を表紙体１８に溶着する製法について、図１０ないし図１２に基づいて説明する。
【００２９】
製本装置１０００は、図１０に示すように、多数枚のシート状ポケット２２を保持するシート状ポケット保持機構１００２と、表紙体１８を保持する表紙体用保持機構１００４と、発熱体１００６（Ｈ）と、この発熱体１００６（Ｈ）をシート状ポケット２２と表紙体１８との間に介在または抜き出し可能とするシリンダ機構（図示せず）とを備えている。
【００３０】
シート状ポケット保持機構１００２は、テーブル１０１０に固定のシート状ポケット押圧部１００８と、図示しないねじやピストン等の駆動手段でテーブル１０１０上を可動する可動シート状ポケット押圧部１０１２と、固定のシート状ポケット押圧部１００８と可動シート状ポケット押圧部１０１２とによってシート状ポケット２２をクランプするように構成されている。
【００３１】
また、表紙体用保持機構１００４は、表紙体１８の内面を下向きにして取り付け可能に構成されたものであり、図示しない昇降手段により上下動可能に構成されている。
【００３２】
発熱体１００６（Ｈ）は、内部にシーズヒータ等が内蔵された板状のものであるが、発熱体１００６（Ｈ）はこれに限らず、熱エネルギーを放出可能な種々の手段が考えられる。
【００３３】
前記の製本装置１０００を使用してファイルを製本する方法について説明する。
まず、図１０に示すように、多数枚のシート状ポケット２２を重合し、その重なり端面を固定のシート状ポケット押圧部１００８と可動シート状ポケット押圧部１０１２とでクランプし、且つ、表紙体用保持機構１００４により、表紙体１８の内面を下側にした状態で、表紙体１８を保持し、表紙体用保持機構１００４を下降させてシート状ポケット群２０の溶着縁３２の上面と表紙体１８の内面とを対向させるとともに、その間に発熱体１００６（Ｈ）を介在させることができる位置まで接近させる。
そして、発熱体１００６（Ｈ）を両者の間に介在させ、表紙体１８の内面と第１ポケット構成シート３０の溶着縁３２の上部のつき合せ端縁とを同時に溶融させる。
【００３４】
その溶融温度は、ポリプロピレンの溶融温度が、１２０〜１３０℃であるため、１７０〜１８０℃前後の発熱体１００６を使用して４〜５秒前後の時間で、表紙体１８の内面と第１ポケット構成シート３０の溶着縁３２の上縁のつき合せ端縁とを同時に溶融させる。
その後、表紙体１８と溶着縁３２との間から発熱体１００６（Ｈ）を引き抜き、背表紙部１６を第１ポケット構成シート３０の溶着縁３２に接触させて両者を接合する（図１２参照）。
【００３５】
そして、適宜、溶着部位を冷却して、完全に表紙体１８の背表紙部１６の内面と第１ポケット構成シート３０の溶着縁３２のつき合せ端縁とを固着する。
【００３６】
実際の使用においては、第１ポケット構成シート３０と第２ポケット構成シート４０との間に形成された収容部８０に収容される被挟体Ｓを、第２ポケット構成シート４０の開口縁４２及び第３ポケット構成シート５０の開口縁５２より第２ポケット構成シート４０の収容部８０及び第３ポケット構成シート５０の収容部８２に挿入し、被挟体ＳをＡ面側シート状ポケット２２の収容部８０とＢ面側のシート状ポケット２２の収容部８２に跨って収容する。
而して、表表紙部１２と裏表紙部１４とを開き、見開いた状態で、シート状ポケット２２の収容部８０及び収容部８２に挿入された被挟体Ｓを閲覧できる。
そして、表表紙部１２と裏表紙部１４を閉じたときは、被挟体Ｓの幅方向における中央領域を、隣接するＡ面側のシート状ポケット２２とＢ面側のシート状ポケット２２との中間に位置させ、被挟体Ｓの折り曲げ部Ｓ1が隣接するＡ面側のシート状ポケット２２とＢ面側のシート状ポケット２２との中間において高さ方向に第１ポケット構成シート３０の溶着縁３２に沿ってのび、見開いた状態でシート状ポケット２２の収容部８０及び収容部８２に挿入されるように構成されているので、被挟体Ｓの中央に正確に折り目を形成できる。
【符号の説明】
【００３７】
１０  ファイル
１２  表表紙部
１４  裏表紙部
１６  背表紙部
１８  表紙体
２０  シート状ポケット群
２２  シート状ポケット
２２ａ  底縁部
２２ｂ  上縁部
２２ｃ  側縁部
２４  表折り曲げ部
２６  裏折り曲げ部
３０  第１ポケット構成シート
３２  溶着縁
３４  底縁
３６  上縁
３８  側縁
４０  第２ポケット構成シート
４２  開口縁
４４  底縁
４６  上縁
４８  側縁
５０  第３ポケット構成シート
５２  開口縁
５４  底縁
５６  上縁
５８  側縁
８０  収容部
８２  収容部
１０００  製本装置
１００２  シート状ポケット保持機構
１００４  表紙体用保持機構
１００６  発熱体
１００８  シート状ポケット押圧部
１０１０  テーブル
１０１２  可動シート状ポケット押圧部
Ｓ  被挟体
Ｓ1  折り曲げ部
【図１】
0005659049.tif 000002
【図２】
0005659049.tif 000003
【図３】
0005659049.tif 000004
【図４】
0005659049.tif 000005
【図５】
0005659049.tif 000006
【図６】
0005659049.tif 000007
【図７】
0005659049.tif 000008
【図８】
0005659049.tif 000009
【図９】
0005659049.tif 000010
【図１０】
0005659049.tif 000011
【図１１】
0005659049.tif 000012
【図１２】
0005659049.tif 000013
【図１３】
0005659049.tif 000014